(57)【要約】【課題】煩雑な手間を要することなく各種サイズの電力ケーブルに容易にかつ安定に固定することが可能で、作業性の向上、コスト低減を図ることが可能な接地線引出部およびそれを備えた電力ケーブル接続部を提供する。【解決手段】接地線引出部１４０は、対向する第１面１４１Ａおよび第２面１４１Ｂを有する平板状に形成され、一定の長さを有し、第２面側が電力ケーブルの絶縁シースの外周に沿うように配置される接地線引出金具１４１と、接地線引出金具１４１と外部の接地線を接続するための接地線接続導体１４２と、要被覆部を被覆する被覆層１６１と、有し、接地線引出金具１４１は、軸線に沿う方向の一端部の第１面および第２面の少なくとも一方にシールド導体１１２が電気的に接続され、他端部の第１面および第２面の少なくとも一方に、接地線接続導体１４２が電気的に接続されている。【選択図】図２
2013055771.tif 000002
【特許請求の範囲】
【請求項１】
電力ケーブルの遮蔽層から導出されたシールド導体に外部の接地線を電気的に接続する接地線引出部であって、
対向する第１面および第２面を有する平板状に形成され、前記電力ケーブルの軸線に沿う方向に一定の長さを有し、当該第２面側が前記電力ケーブルの絶縁シースの外周に沿うように配置される接地線引出金具と、
前記接地線引出金具と前記外部の接地線を接続するための接地線接続導体と、
要被覆部を被覆する被覆層と、を有し、
前記接地線引出金具は、
前記軸線に沿う方向の一端部の前記第１面および前記第２面の少なくとも一方に、前記シールド導体が電気的に接続され、
他端部の前記第１面および前記第２面の少なくとも一方に、前記接地線接続導体が電気的に接続され、
前記被覆層は、
前記接地線引出金具の外面の少なくとも一部と、前記電力ケーブルのシールド導体導出部付近の外面とを含む要被覆部を一括して被覆する
接地線引出部。
【請求項２】
前記接地線引出金具は、
前記電力ケーブルの外周に沿うように湾曲しており、
前記接地線接続導体は、
導体を編み込んだ可とう性の編導体により形成され、当該編導体の一端部が前記接地線引出金具の他端部において、当該接地線引出金具の前記軸線に直交する幅方向に広げて接続されている
請求項１記載の接地線引出部。
【請求項３】
前記シールド導体は、
折り返されて前記接地線引出金具に接続されている
請求項１または２記載の接地線引出部。
【請求項４】
前記接地線引出金具にロールスプリングが巻き回されている
請求項１から３のいずれか一に記載の接地線引出部。
【請求項５】
前記接地線引出金具の前記第２面と前記電力ケーブルの絶縁シースとの間の少なくとも、前記シールド導体および前記接地線接続導体が接続されている領域を除く領域に、シール層が配置されている
請求項１から４のいずれか一に記載の接地線引出部。
【請求項６】
電力ケーブルを他の電力ケーブルに接続しているケーブル接続部本体と、
電力ケーブルの遮蔽層から導出されたシールド導体に外部の接地線を電気的に接続する接地線引出部と、
前記ケーブル接続部本体と前記接地線引出部とを一括して覆う遮水構造の保護外装部と、を有し、
前記接地線引出部は、
請求項１から５のいずれか一に記載の接地線引出部により構成されている
電力ケーブル接続部。
【発明の詳細な説明】
【技術分野】
【０００１】
本発明は、電力ケーブルの遮蔽層から導出されたシールド導体に外部の接地線を電気的に接続する接地線引出部およびこの接地線引出部を備えた電力ケーブル接続部に関するものである。
【背景技術】
【０００２】
電力ケーブルの接続部において電力ケーブルから接地線を引き出す接地線引出部としては、特許文献１や特許文献２に開示された構造のものが知られている。
【０００３】
図１２および図１３は、特許文献１に開示された接地線引出部の構造を説明するための図である。
図１２は、接地線引出金具を電力ケーブルに取り付けた状態を示す図であって、図中の（Ａ），（Ｂ），（Ｃ）はそれぞれ斜視図、縦断面図および側面図である。
図１３は、接地線引出部の全体の構成を示す図である。
【０００４】
図１２および図１３において、１は電力ケーブルを、２は接地線引出部を、３は接地線を、４は被覆層を、５はシール層を、それぞれ示している。
【０００５】
接地線引出部２は、接地線引出金具２１、および接地線接続導体２２を含んで構成されている。
接地線引出金具２１は、電力ケーブル１の絶縁シース１ａの外周に沿うように湾曲した凹面２１ａを外面の一部に有し、かつ凹面２１ａに対向する部分の外面が湾曲した凸面２１ｂに形成されている。
接地線引出金具２１は、凹面２１ａを電力ケーブル１の絶縁シース１ａの外周にシール層５を介して当接させた状態で電力ケーブル１のシールド導体１ｂの導出部１ｃ付近に配置されている。図の例では、電力ケーブル１から取り出されたシールド導体１ｂは、圧着端子２３に取り付けられて、凸面２１ｂの一端側に形成された段差部２１ｃに固定される。
接地線引出金具２１の一端側には、電力ケーブル１の遮蔽層から導出されたシールド導体１ｂが電気的に接続されている。具体的には、シールド導体１ｂには、圧着端子が取り付けられており、この圧着端子をボルトで接地線引出金具２１に固定することにより、シールド導体１ｂは接地線引出金具２１の一端側に電気的に接続されている。
接地線引出金具２１の他端側には、接地線接続導体２２の一端部が接続されている。具体的には、接地線接続導体２２は、接地線引出金具２１の他端に形成した穴に圧入したり、接地線接続導体を圧着端子に取り付けボルトで金具２１に固定されている。そして、接地線接続導体２２の他端部には接地線３が接続されている。
【０００６】
接地線引出部２の接地線引出金具２１の一端側から電力ケーブル１のシールド導体導出部１ｃ付近の外面を含む電力ケーブルの接続部は、全周にわたり被覆層４で一括して被覆される。
この被覆層４と接地線引出金具２１とにより、電力ケーブル１のシールド導体導出部１ｃ側の領域と接地線３側の領域との間の遮水が図られている。
【０００７】
他方の特許文献２に開示されている接地線引出部では、電力ケーブルの遮蔽層から導出されたシールド導体が引き出し棒の一端に圧着端子で取り付けられ、他端に接地線が接続される。この引き出し棒は、全体にわたって絶縁性を有する被覆材で被覆されている。
【先行技術文献】
【特許文献】
【０００８】
【特許文献１】特開２００９−９５２２６号公報
【特許文献２】特開２００７−３１８９４５号公報
【発明の概要】
【発明が解決しようとする課題】
【０００９】
上述したように、特許文献１に開示された接地線引出部２に用いる接地線引出金具２１は山形である。
したがって、接地線引出部２の断面形状は略卵形になり、被覆層４の外側に接地線引出金具２１を固定するために巻くテープの圧力をかけにくくなり、接地線引出金具２１をケーブル１に安定して取り付けことが困難となっている。このため、接地線引出部２の形成作業の効率が低下したり、この部分を形成するために用いるテープ等の材料が多量になりコストアップの要因になる。
さらに、従来の接地線引出部においては、ケーブルサイズ毎に接地線引出金具２１を準備しておく必要があり、多種類の部品が必要となり、煩雑である。
【００１０】
そのため、接地線引出金具をケーブルの絶縁シースに安定して取り付けことが困難となっている。
【００１１】
特許文献２に開示されている接地線引出部は、長尺の引き出し棒を断面が円形の電力ケーブルの絶縁シースに安定に固定することが容易ではなく、また、接地線引出部の側面の防水処理に難がある。
【００１２】
本発明は、煩雑な手間を要することなく各種サイズの電力ケーブルに容易に共用でき、作業性の向上、コスト低減を図ることが可能な接地線引出部およびそれを備えた電力ケーブル接続部を提供することにある。
【課題を解決するための手段】
【００１３】
本発明の第１の観点の接地線引出部は、電力ケーブルの遮蔽層から導出されたシールド導体に外部の接地線を電気的に接続する接地線引出部であって、対向する第１面および第２面を有する平板状に形成され、前記電力ケーブルの軸線に沿う方向に一定の長さを有し、当該第２面側が前記電力ケーブルの絶縁シースの外周に沿うように配置される接地線引出金具と、前記接地線引出金具と前記外部の接地線を接続するための接地線接続導体と、要被覆部を被覆する被覆層と、を有し、前記接地線引出金具は、前記軸線に沿う方向の一端部の前記第１面および前記第２面の少なくとも一方に、前記シールド導体が電気的に接続され、他端部の前記第１面および前記第２面の少なくとも一方に、前記接地線接続導体が電気的に接続され、前記被覆層は、前記接地線引出金具の外面の少なくとも一部と、前記電力ケーブルのシールド導体導出部付近の外面とを含む要被覆部を一括して被覆する。
この接地線引出部は、接地線引出金具が平板状なので、電力ケーブルの外面に合せて湾曲させることが可能であり、異なるサイズの電力ケーブルに共用可能である。
【００１４】
好適には、前記接地線引出金具は、前記電力ケーブルの外周に沿うように湾曲しており、前記接地線接続導体は、導体を編み込んだ可とう性の編導体により形成され、当該編導体の一端部が前記接地線引出金具の他端部において、当該接地線引出金具の前記軸線に直交する幅方向に広げて接続されている。
【００１５】
前記接地線接続導体は、前記接地線引出金具の前記第１面側に接続されても良いし、接地線引出金具の前記第２面側に接続されていても良い。
【００１６】
好適には、前記接地線引出金具の前記第２面の曲率が前記電力ケーブルの絶縁シースの外周の曲率より大きく、前記接地線引出金具の前記第２面と前記絶縁シースの外周との隙間に挟まるように、前記接地線接続導体が当該第２面と接続されていても良い。
【００１７】
また、好適には、前記接地線引出金具は、前記電力ケーブルの外周に沿うように湾曲しており、前記シールド導体は、前記接地線引出金具の一端部において、当該接地線引出金具の前記軸線に直交する幅方向に広げて接続されている。
【００１８】
前記シールド導体は、前記接地線引出金具の前記第１面側に接続されていても良いし、前記接地線引出金具の前記第２面側に接続されていても良い。
【００１９】
前記接地線引出金具は、前記シールド導体が接続される領域が前記電力ケーブルの外部半導電層を露出させた位置に配置され、残りの領域が前記電力ケーブルの絶縁シースと対向するように配置されていても良い。
【００２０】
前記接地線引出金具と前記シールド導体を重ねることにより、これらを電気的に接続しても良い。
【００２１】
また、前記接地線引出金具はロールスプリングが巻き回されケーブルに固定されていても良い。
【００２２】
また、前記接地線引出金具の前記第２面と前記電力ケーブルの絶縁シースとの間には、シール層を配置しても良い。このシール層は、少なくとも前記シールド導体が接続されている領域と前記接地線接続導体が接続されている領域との間の領域に配置されていても良い。
【００２３】
本発明の第２の観点の電力ケーブル接続部は、電力ケーブルの遮蔽層から導出されたシールド導体に外部の接地線を電気的に接続する接地線引出部と、前記ケーブル接続部本体と前記接地線引出部とを一括して覆う遮水構造の保護外装部と、を有し、前記接地線引出部は、上述した構成のいずれかの構成または組み合わせた構成を有する接地線引出部により構成され、前記保護外装部は前記被覆層を含む。
【発明の効果】
【００２４】
本発明によれば、煩雑な手間を要することなく接地線引出金具を各種サイズの電力ケーブルに容易にかつ安定に固定することが可能で、作業性の向上、コスト低減を図ることができる。
【図面の簡単な説明】
【００２５】
【図１】本発明の第１の実施形態に係る電力ケーブル接続部の要部の構成例を概略的に示す斜視図である。
【図２】本第１の実施形態に係る電力ケーブル接続部の要部の構成を拡大して示す図である。
【図３】本実施形態に係るケーブル接続部本体の構成の一例を概略的に示す図である。
【図４】本第１の実施形態に係る接地線引出部を示す側面図である。
【図５】図４の接地線引出部を図中の矢印Ａ方向に見た拡大正面図である。
【図６】図２において接地線引出部の部分を同図のＸ−Ｘ線に沿って断面視した拡大断面図である。
【図７】（Ａ）および（Ｂ）は接地線引出金具の第２面の曲率半径の設定の仕方を説明するための図である。
【図８】接地線接続導体を第１面および第２面にわたって接続する例を説明するための図である。
【図９】シールド導体を、一定領域のシールド導体接続部に半田付け等により直接的に接続する構成を説明するための図である。
【図１０】（Ａ）は接地線引出金具を電力ケーブルの上に設置するに先立って電力ケーブルの上にシール層を形成した状態を示した斜視図、（Ｂ）および（Ｃ）はそれぞれ電力ケーブルの上にシール層を介して接地線引出金具を載せた状態を示す上面図および側面図である。
【図１１】（Ａ）および（Ｂ）は本発明の第２の実施形態に係る電力ケーブル接続部の要部である接地線引出部の構成を示す図である。
【図１２】（Ａ）から（Ｃ）は特許文献１に開示された接地線引出部の構造を説明するための図であって、接地線引出金具を電力ケーブルに取り付け状態を示す図である。
【図１３】特許文献１に開示された接地線引出部の構造を説明するための図であって、接地線引出部の全体の構成を示す図である。
【発明を実施するための形態】
【００２６】
以下、本発明の実施形態を図面に関連付けて説明する。
【００２７】
＜第１の実施形態＞
図１は、本発明の第１の実施形態に係る電力ケーブル接続部の要部の構成例を概略的に示す斜視図である。
図２は、本第１の実施形態に係る電力ケーブル接続部の要部の構成を拡大して示す図である。
【００２８】
本第１の実施形態に係る電力ケーブル接続部１００は、図１に示すように、一の電力ケーブル１１０を他の電力ケーブル１２０に接続しているケーブル接続部本体１３０と、接地線引出部１４０と、接地線１５０と、保護外装部１６０とを備えている。
接地線引出部１４０は、ケーブル接続部本体１３０により接続されている電力ケーブル１１０，１２０のうちの特定の電力ケーブル１１０の遮蔽層から導出されたシールド導体１１２に接地線１５０を電気的に接続してケーブル内部の接地線（接地ライン）を外部に引き出す部分である。
保護外装部１６０は、接地線引出部１４０と、ケーブル接続部本体１３０と、ケーブル接続部本体１３０により接続されている電力ケーブル１１０，１２０のケーブル接続部本体１３０寄りの一定長さの部分とを一括して覆う部分で、遮水構造を有するように構成されている。
【００２９】
なお、本実施形態において、「ケーブル接続部本体により接続されている電力ケーブルのうちの特定の電力ケーブル」とは、ケーブル接続部本体により接続されている電力ケーブルのうち、遮蔽層から引き出されたシールド導体が、外部に引き出される接地線に電気的に接続される側の電力ケーブルである。
図示の例ではケーブル接続部本体１３０により接続されている電力ケーブルのうち、電力ケーブル１１０のみに接地線が接続されるため、電力ケーブル１１０が特定の電力ケーブルとなる。電力ケーブル１１０，１２０の双方の遮蔽層から外部に接地線を引き出す場合には、電力ケーブル１１０，１２０の双方が特定の電力ケーブルとなる。
【００３０】
［ケーブル接続部本体の構成例］
図３は、本実施形態に係るケーブル接続部本体１３０の構成の一例を概略的に示す図である。
【００３１】
ケーブル接続部本体１３０においては、図３に示すように、電力ケーブル１１０および１２０は相互に接続されるに当って段剥ぎされ、それぞれを構成する各部が所定の長さずつ露出されている。
接地線が引き出される特定の電力ケーブル１１０においては、最外層の絶縁シース１１１から外部半導電層１１３と絶縁体１１４と導体１１５とが所定の長さずつ露出され、絶縁シース１１１の内側にあるシールド導体１１２が外部に引き出されている。
また電力ケーブル１２０においては、絶縁シース１２１から遮蔽層１２２と外部半導電層１２３と絶縁体１２４と導体１２５とが所定長さずつ露出されている。
【００３２】
電力ケーブル１１０および１２０は、それぞれの導体１１５および１２５を対向させた状態で配置され、それぞれの導体１１５および１２５が圧着スリーブ等により接続されて導体接続部２００が構成される。
導体接続部２００の周囲にはゴムユニット２１０が設けられる。ゴムユニット２１０は電力ケーブル１１０，１２０の接続部を絶縁するものである。
【００３３】
この例では、導体接続部２００とゴムユニット２１０とにより、ケーブル接続部本体１３０が構成されている。
【００３４】
なお、図３のケーブル接続部本体１３０は、その一例を示したものであり、本実施形態で用いることができるケーブル接続部本体１３０の構成は図３の例に限定されない。
【００３５】
［接地線引出部１４０の構成例］
次に、本第１の実施形態に係る接地線引出部１４０の具体的な構成例について、図２ないし図６等に関連付けて説明する。
図４は、本第１の実施形態に係る接地線引出部１４０を示す側面図である。図５は、図４の接地線引出部を図中の矢印Ａ方向に見た拡大正面図である。
図６は、図２において接地線引出部１４０の部分を同図のＸ−Ｘ線に沿って断面視した拡大断面図である。
【００３６】
接地線１５０が引き出される電力ケーブル１１０側には、電力ケーブル１１０のシールド導体導出部（シールド導体１１２が導出された絶縁シース１１１の端部）１１６の近傍に位置させて、本実施形態の特徴部分である接地線引出部１４０が配置されている。
そして、ケーブル接続部本体１３０と接地線引出部１４０とを一括して覆うように遮水性を有する材料からなる保護外装部１６０が設けられる。
【００３７】
図２ないし図６に詳細に示したように、本実施形態においては、接地線引出部１４０が、銅等の良導電性の金属からなる接地線引出金具１４１を備えている。
図示の接地線引出金具１４１は、電力ケーブル１１０の軸線ＡＸに沿う方向に一定の長さＬ１（図２を参照）を有している。
また図５に示すように、接地線引出金具１４１は、対向する第１面１４１Ａ（凸面側）および第２面１４１Ｂ（凹面側）を有する平板状に形成されている。本実施形態の接地線引出金具１４１は、接地線を引出す特定の電力ケーブル１１０の絶縁シース１１１の外周に沿うように湾曲した銅等の金属部材により形成されている。
接地線引出金具１４１は、その長手方向（電力ケーブル１１０の軸線に沿う方向）の一端部１４１１側の第１面１４１Ａに、シールド導体１１２が端子を介して電気的に接続される。
接地線引出金具１４１は、その長手方向（電力ケーブル１１０の軸線に沿う方向）の他端部１４１２側の第１面１４１Ａに、接地線接続導体１４２の一端部が半田付けや銀ろう付け等により電気的に接続される。
なお、本実施形態において、接地線引出金具１４１の厚さは、たとえば０．５ｍｍから１ｍｍ程度の薄さに設定される。
【００３８】
本第１の実施形態においては、図２ないし図４に示すように、接地線引出金具１４１の第１面１４１Ａ（取り付け時に外面側となる面）にシールド導体１１２および接地線接続導体１４２が接続されている。
シールド導体１１２は、接地線引出金具１４１の一端部１４１１の一定領域１４１３に接続されている。この例では、シールド導体１１２は、端子金具１４３を介してボルト１４４で固定されている。端子金具１４３は、たとえば図５に示すように、接地線引出金具１４１の第１面１４１Ａと接する側の面が、この第１面１４１Ａの外周に沿うように湾曲するように形成されている。
接地線接続導体１４２は、編組線からなるもので、その一端が扁平に広げられて接地線引出金具１４１の他端部１４１２に接続されている。この例では、一定領域１４１４に、接地線引出金具１４１の幅方向全体にわたって広げられた状態で半田付されている。
なお、第２面１４１Ｂに跨るように接地線接続導体１４２を接続しても良い。
【００３９】
この接地線引出金具１４１の第２面１４１Ｂはシール層１７０を介して電力ケーブル１１０の絶縁シース１１１の外周に当接された状態で配置される。シール層１７０は遮水壁として機能して、接地線引出金具１４１と電力ケーブル１１０の間から電力ケーブル接続部内へ水が浸入するのを阻止する働きをする。
【００４０】
接地線引出金具１４１は、接地線に求められる電流を十分に通電させることができる機能を有している。
【００４１】
ここで、接地線引出金具１４１の第２面１４１Ｂの曲率半径の設定について説明する。
図７（Ａ）および（Ｂ）は、接地線引出金具１４１の第２面１４１Ｂの曲率半径の設定の仕方を説明するための図である。
接地線引出金具１４１の第２面１４１Ｂの曲率半径は、第２面１４１Ｂと電力ケーブル１１０の絶縁シース１１１との間に介在させるシール層１７０の外面（第２面１４１Ｂ側の面）の曲率半径に等しく設定するか、またはシール層１７０の外面の曲率半径より僅かに大きめに設定しておくことが好ましい。
【００４２】
第２面１４１Ｂの曲率半径がシール層１７０の曲率半径よりも小さいと、図７（Ｂ）に示すように、第２面１４１Ｂの幅方向の中央部寄りの部分とシール層１７０との間に、幅方向の両端が閉じた隙間ｇ′が形成される。
この隙間ｇ′が形成された部分にはシール材が入らないため、この部分が接地線引出金具１４１と電力ケーブル１１０との間のシールの弱点になって、水を通過させるおそれがある。
【００４３】
第２面１４１Ｂの曲率半径と、シール層１７０の外面の曲率半径とを等しくすることができれば、第２面１４１Ｂとシール層１７０との間に隙間は生じない。ただし、シール層１７０の厚さを正確に一定とすることは難しく、第２面１４１Ｂの曲率半径とシール層１７０の外面の曲率半径とを正確に等しくすることは難しい。
したがって、実際には、図７（Ａ）に示すように、第２面１４１Ｂの幅方向の両端とシール層１７０との間に、外方に開口した僅かな隙間ｇ，ｇが形成される程度に、第２面１４１Ｂの曲率半径をシール層１７０の曲率半径よりも大きく設定しておくことが好ましい。
第２面１４１Ｂの曲率半径をシール層１７０の曲率半径よりも大きく設定する場合、第２面１４１Ｂの曲率半径と、シール層１７０の外面の曲率半径との差が２．０ｍｍを超えないように設定することが好ましい。
【００４４】
図７（Ａ）に示したように、第２面１４１Ｂとシール層１７０との間に形成される隙間ｇ，ｇが、第２面１４１Ｂの幅方向の両端で外方に開口するようにしておくと、各隙間ｇをシール用テープ等により塞ぐことは容易であるので、接地線引出金具１４１と電力ケーブルとの間のシール性が損なわれるのを防ぐことができる。
【００４５】
また、図７（Ａ）に示したように、第２面１４１Ｂとシール層１７０との間に形成される隙間ｇ，ｇが、第２面１４１Ｂの幅方向の両端で外方に開口するようにしておくと、図８に示すような構成をとることも可能である。
すなわち、接地線引出金具１４１の他端部１４１２側の一定領域１４１４において、第１面１４１Ａから第２面１４１Ｂの隙間ｇ，ｇに跨って、後述するように、編組線等により形成される接地線接続導体１４２を配置して接続することも可能である。
この接地線接続導体１４１の接地線引出金具１４１への接続は、半田付けや銀ろう付け等の接続方法により行うことが可能であり、接地線引出金具１４１の他端部１４１２側のシール性を保ちながら、接地線接続導体１４２の接続を強固にかつ確実に安定させることが可能となる。
【００４６】
接地線引出金具１４１を電力ケーブルの上に設置した状態で、接地線引出金具１４１と電力ケーブルとを一括して取り囲むようにテープを巻き付けた際に、接地線引出金具１４１の幅方向の両端付近でこのテープと電力ケーブルの外周との間に大きな隙間を生じさせないように、この両端付近を徐々に薄くなるテーパー状に構成してもよい。
【００４７】
なお、本第１の実施形態に係る接地線引出金具１４１は、銅板等により薄型の平板状に形成されていることから、剛性を有するものの、作業現場等において、ある程度、手あるいは工具により変形させることも可能である。
したがって、本第１の実施形態においては、接地線引出金具１４１の第２面１４１Ｂの曲率半径と絶縁シース１１１の曲率半径との間に若干の差が存在したとしても、その場で容易に調整（修正）することが可能である。
よって、本第１の実施形態の接地線引出部１４０においては、ケーブルサイズ毎に形状を変えた接地線引出金具１４１を準備する必要がなく共通化できるので、製品管理に煩雑な手間をかける必要もない。
また、接地線引出部１４０において、接地線引出金具１４１の形状が薄型の平板状のために、電力ケーブル１１０に取り付け時の断面、すなわち接地線接続部１４０の断面形状を略円形にすることができ、外側に巻くテープの圧力をかけやすくなりる。この結果、接地線引出金具１４１を、安定して電力ケーブル１１０に固定することができ、作業性が大幅に向上するという利点がある。
すなわち、本第１の実施形態の接地線引出部１４０の接地線引出金具１４１を取り付けた際の断面の形状はほぼ真円となり、テープ巻きの圧力が全体によくかかり、巻き崩れ等を防止することができる。
また、接地線引出金具本体は薄型の平板状のために、その材料が少量ですみ、低コスト化を実現することが可能である。
【００４８】
電力ケーブル１１０から導出されたシールド導体１１２は、外部半導電層１１３に巻き付けられたロールスプリング１４５により電力ケーブル１１０の外部半導電層１１３の外周に固定されている（図２参照）。
接地線引出金具１４１の一端部１４１１の一定領域１４１３は、上述したように、シールド導体１１２を接続するためのシールド導体接続部とされている。
このシールド導体接続部には、電力ケーブル１１０の遮蔽層から導出されたシールド導体１１２の先端に取り付けられた端子金具１４３がボルト１４４により接続されている。
【００４９】
なお、図９に示すように、シールド導体１１２を、半田ＳＬＤによる半田付け等により直接に接地線引出金具１４１に接続することも可能である。
この場合、本実施形態に係る接地線引出金具１４１が、薄型平板状であることから、シールド導体１１２の先端部を第１面１４１Ａや（第２面１４１Ｂまたは両面）に載置しておき、半田付けや銀ろう付け等により接続することができる。
接地線引出金具１４１の外側にテープを巻くことを考慮すると、半田付け等の方法を採用する方が適している場合もある。
【００５０】
さらに、図１ないし図４に示すように、接地線引出金具１４１の他端部１４１２側には、接地線接続導体１４２の一端部が半田付けや銀ろう付け等により接続されている。
接地線接続導体１４２としては、平編導体あるいは編組線のような可撓性を有する導体を用いることが好ましい。
接地線接続導体１４２の他端には、防水形の圧着端子金具１４６が接続され、引き出される接地線１５０の一端に半田付けされた端子金具１４７（図２参照）がボルト１４８およびナット１４９により圧着端子金具１４６に接続されている。
【００５１】
このように、本実施形態では、接地線接続導体１４２の他端に圧着端子金具１４６を接続して、この圧着端子金具１４６を介して接地線接続導体１４２と接地線１５０とを接続している。
ただし、接地線接続導体１４２に圧着端子金具を接続することなく、接地線接続導体１４２を接地線や別の電力ケーブルから引き出された接地線接続導体等に圧着スリーブや半田付け等により接続するようにしても良い。
また接地線１５０を、直接、接地線引出金具１４１に接続することも可能である。
【００５２】
なお、本第１の実施形態では、接地線引出金具１４１の第１面１４１Ａの外周面にはディッピング等の処理を施しても良い。ディッピング等により接地線引出金具１４１の第１面１４１Ａに柔軟な樹脂層を形成しておけば、後述する被覆層を形成する収縮チューブとの密着性が向上し、ケーブル接続部の水密性をより高めることができる。
【００５３】
また、本第１の実施形態では、接地線接続導体１４２として裸導体（好ましくは平編導体）を用いているが、接地線接続導体１４２は、外周に絶縁被覆を有する絶縁電線（可撓性を有するものが良い）により形成することも可能である。
接地線接続導体１４２として絶縁電線を用いる場合には、その電気的な接続に用いられる部分、すなわち、接地線引出金具１４１に接続される部分および接地線１５０等に接続される部分の絶縁被覆を除去して、電気的な接続には用いない部分の絶縁被覆を残しておくことにより、絶縁被覆を除去した部分のみテープ巻きをし、その他の部分のテープ巻きを省略することができる。
【００５４】
［シール層についての説明］
図１および図２に示されているように、接地線引出金具１４１は、第２面１４１Ｂを電力ケーブル１１０の絶縁シース１１１の外周にシール層１７０を介して当接させた状態で電力ケーブル１１０のシールド導体導出部１１６付近に設置される。
【００５５】
シール層１７０は、図１０に示すように、粘着性と柔軟性および（または）弾性とを有するシール材からなる絶縁シートにより形成するのが好ましい。絶縁シートとしては、粘着性を有する絶縁パテシートが好適である。
絶縁パテシートとしては、電力ケーブル接続部でシール等の目的で広く用いられているものを使用することができる。
【００５６】
図１０（Ａ）は接地線引出金具を電力ケーブルの上に設置するに先立って電力ケーブルの上にシール層を形成した状態を示した斜視図、図１０（Ｂ）および（Ｃ）はそれぞれ電力ケーブル１１０の上にシール層１７０を介して接地線引出金具１４１を載せた状態を示す上面図および側面図である。
電力ケーブル１１０の外周に接地線引出金具１４１を配置する際には、先ず図１０（Ａ）に示すように、電力ケーブル１１０の外周の接地線引出金具１４１を配置する箇所に、矩形状の絶縁シートであるシール層１７０を、その粘着性を利用して固定する。
次いで、図１０（Ｂ）および（Ｃ）に示すように、シール層（絶縁シート）１７０の上に接地線引出金具１４１を、その第２面１４１Ｂをシール層１７０に接触させた状態で載せ、シール層１７０の粘着性を利用して接地線引出金具１４１をシール層１７０に固定する。
このように、接地線引出金具１４１を配置した状態で、シール層１７０の周縁部が接地線引出金具１４１の第２面１４１Ｂを取り囲む周縁部から外側にはみ出すように、シール層１７０を構成する絶縁シートの大きさを設定しておく。
【００５７】
上記のようにして電力ケーブル１１０の上に接地線引出金具１４１を設置した後、接地線引出金具１４１を取り囲む周縁部の全体にわたって、かつ接地線引出金具１４１とシール層１７０の表面との隙間に跨って、接地線引出金具１４１に接着する接着性とシール層１７０に融着する融着性と隙間内への充填性とを有するシール用テープを貼り付けることも可能である。これにより、接地線引出金具１４１とシール層１７０の表面との間を液密にシールすることができる。
【００５８】
［保護外装部（被覆層）についての説明］
図１、図３に示すように、電力ケーブル１１０の接地線引出金具１４１が配置された部分から他方の電力ケーブル１２０のケーブル絶縁シース１２１の部分にかけて保護外装部１６０が設けられている。
接地線引出金具１４１を設置した箇所は、図２に示されているように、接地線引出金具１４１の外面の少なくとも一部と、電力ケーブル１１０のシールド導体導出部１１６付近の外面とを含む要被覆部が、一括して保護外装部１６０により被覆されている。
そして、保護外装部１６０と接地線引出金具１４１とにより、電力ケーブル１１０のシールド導体導出部１１６側の領域と接地線１５０が引き出される側の領域との間の遮水が図られている。
【００５９】
ここで「要被覆部」は、電力ケーブルの接地線が引き出される側の領域とシールド導体導出部側の領域との間を境としてシールド導体部側の領域の遮水を図るために被覆する必要がある部分であり、要被覆部の範囲は、適宜に設定される。
【００６０】
この保護外装部１６０は、具体的には図２に示すように、ケーブル接続部本体１３０と、接地線引出金具１４１の大部分（接地線引出部１４０の大部分）と、ケーブル接続部本体１３０により接続されている電力ケーブル１１０，１２０のケーブル絶縁シース１１１，１１２にわたる一定長さの部分とを一括して覆う被覆層１６１を有する。
さらに、保護外装部１６０は、被覆層１６１の端部と接地線引出金具１４１の外周および電力ケーブル１１０の外周とに跨って巻き付けられた防水テープ１６２の層を有している。この防水テープ１６２により、被覆層１６１の端部からこの被覆層内に水が浸入するのを阻止するためである。
なお、防水テープ１６２は、可能であれば、接地線引出金具１４１の接地線接続導体１４２が接続されている領域１４１２を含むように巻き付けられることが好ましい。
防水テープ１６２としては、自己融着テープを用いるのが好ましい。
【００６１】
被覆層１６１は、遮水性を有する収縮チューブにより形成され、被覆層１６１の遮水性と、防水テープ１６２による遮水機能（被覆層１６１の端部から覆層内に水が浸入するのを阻止する機能）とにより、保護外装部１６０の遮水構造（外部からの水の浸入を遮断する構造）が形成されている。
【００６２】
なお、保護外装部１６０の内側にはケーブル接続部本体１３０を覆う半導電層や遮蔽層を形成するためのテーピングなどが施されるが、ここではその説明は省略する。
【００６３】
図２に示した例では、収縮チューブからなる被覆層１６１の端部が接地線引出金具１４１の他端部１４１２の手前の位置で終端しているが、前述したように、防水テープ１６２の巻き付けに支障をきたさない範囲で、被覆層１６１の端部の位置を接地線引出金具の他端部１４１２に近づけることもできる。
【００６４】
被覆層１６１を構成する収縮性チューブとしては、常温で収縮性を有するもの、または加熱されることにより収縮するもの（熱収縮性チューブ）を選択する。
「常温で収縮性を有するチューブ」は、弾性材料により形成されていて、自由な状態では要被覆部の外径よりも小さい内径を有し、要被覆部に被せられ、自らが有する弾性により常温で収縮するものであり、典型的のものは、ゴムチューブである。
【００６５】
常温収縮性のチューブにより被覆層１６１を形成する場合には、適宜の拡径手段によりチューブの径を拡大した状態でこのチューブを要被覆部に被せ、その後、径拡手段をチューブから外して、その径を収縮させることにより、チューブを要被覆部に密着させる。
【００６６】
また、本実施形態では、接地線接続導体１４２の導出部および電力ケーブル１１０の導出部の防水を効果的に図るため、たとえば分岐ユニットを設けることも可能である。ただし、分岐ユニットは、状況に応じて選択的に使用され、必須のユニットではない。
【００６７】
以上のように、本第１の実施形態によれば、以下の効果を得ることができる。
本実施形態の接地線引出部１４０は、接地線引出金具１４１が、銅板等により薄型の平板状に形成されていることから、剛性を有するものの、作業現場等においてある程度、手あるいは工具により変形させることも可能である。
したがって、本第１の実施形態においては、接地線引出金具１４１の第２面１４１Ｂの曲率半径と絶縁シース１１１の曲率半径との間に若干の差が存在したとしても、その場で容易に調整（修正）することが可能である。
よって、本第１の実施形態の接地線引出部１４０によれば、ケーブルサイズ毎に形状の異なる接地線引出金具１４１を提供する必要がなく、多種類の製品の準備が不要となり、煩雑な製品管理の手間もかける必要がない。
また、本第１の実施形態の接地線引出部１４０によれば、その形状が薄型の平板状のために、電力ケーブル取り付け時の断面は、被覆層の外側に巻くテープの圧力をかけやすい略円形となり、安定して固定することができ、作業性が大幅に向上するという利点がある。
すなわち、本第１の実施形態によれば、接地線引出部１４０を取り付けた際の断面の形状はほぼ円になり、全体に同じようにテープ巻きの圧力がよくかかり、巻き崩れ等を防止することができる。
また、本第１の実施形態によれば、接地線引出金具本体は薄型の平板状のために、その材料が少量ですみ、低コスト化を実現することが可能である。
【００６８】
また、本第１の実施形態によれば、電力ケーブル１１０の軸線方向に一定の長さ（遮水を図るために十分な長さ）Ｌ１を有する接地線引出金具１４１の第２面１４１Ｂを電力ケーブル１１０の絶縁シース１１１の外周にシール層１７０を介して面接触させている。
そして、この接地線引出金具１４１を通して接地線１５０と電力ケーブル１１０の遮蔽層から導出されたシールド導体１１２とを接続する構造を採用している。
したがって、接地線引出金具１４１が電力ケーブル１１０の絶縁シース１１１にシール層１７０を介して広い面積で接触して遮水壁を構成するため、接地線引出金具１４１と電力ケーブル１１０との間を通して内部に水が浸入するのを高度に防止することができる。
また本実施形態の接地線引出部１４０では、要被覆部を一括して被覆する収縮性の被覆層１６１が、接地線に比べてはるかに大きい外表面積を有する接地線引出金具１４１の外面に面接触するので、被覆層１６１と接地線引出金具１４１との間を通して内部に水が浸入するのを高度に阻止することができる。
したがって、本第１の実施形態によれば、電力ケーブル１１０のシールド導体導出部側の領域と接地線が引き出される側の領域との間を高度に遮水でき、接地線引出部１４０の遮水性能を向上させることができる。
【００６９】
また、上記のように構成すると、接地線１５０に比べて十分に広い外表面を有する接地線引出金具１４１が電力ケーブル１１０の絶縁シース１１１の外面と要被覆部を被覆する被覆層１６１とに面接触して遮水を図ることができる。
したがって、本第１の実施形態によれば、電力ケーブル１１０の絶縁シース１１１の外面と要被覆部を被覆する被覆層１６１との間から接地線を直接引き出す場合に比べて、遮水機能を果たす部分の面積を大幅に広くして遮水性能を向上させることができる。
【００７０】
なお、上記の実施形態では、接地線引出金具１４１の第２面１４１Ｂと電力ケーブル１１０の絶縁シース１１１の外周との間に介在させるシール層１７０を、ある程度の厚みを有する絶縁パテシートにより形成するとしたが、シール層は、接着剤のような、塗布により薄く施される材料により形成されても良い。
また、上記の実施形態では、電力ケーブル同士を接続する中間接続部の接地線引出部を説明したが、電力機器や送電線と電力ケーブルとを接続する終端接続部に上記接地線引出部１４０を適用することもできる。
【００７１】
＜第２の実施形態＞
図１１（Ａ）および（Ｂ）は、本発明の第２の実施形態に係る電力ケーブル接続部の要部である接地線引出部の構成を示す図である。図１１（Ａ）は本第２の実施形態に係る接地線引出部を概略的に示す側面図である。図１１（Ｂ）は図１１（Ａ）において接地線引出部の部分を同図のＹ−Ｙ線に沿った断面図である。
【００７２】
本第２の実施形態に係る接地線引出部１４０Ａと第１の実施形態に係る接地線引出部１４０とが基本的に異なる点は次の通りである。
第２の実施形態に係る接地線引出部１４０Ａにおいては、シールド導体１１２および接地線接続導体１４２ともに、接地線引出金具１４１の第２面１４１Ｂ側に接続され、かつ、接地線引出金具１４１は電力ケーブル１１０の絶縁シース１１１と外部半導電層１１３に跨って対向するように配置されている。
【００７３】
接地線引出部１４０Ａにおいて、接地線引出金具１４１の第２面１４１Ｂのうち、シールド導体１１２が接続される一端部１４１１側が電力ケーブル１１０の外部半導電層１１３の外周と対向するように配置されている。
そして、接地線引出金具１４１の第２面１４１Ｂの残りの領域が電力ケーブル１１０の絶縁シース１１１の外周と対向するように配置されている。
【００７４】
本第２の実施形態においては、電力ケーブル１１０のシールド導体導出部１１６に隣接する位置にシールド導体１１２を外部半導電層１１３の外周に接した状態に固定するロールスプリング１４５が取り付けられている。このロールスプリング１４５には銅製のものが適用される。
シールド導体１１２は、先端部がロールスプリング１４５の外周面に重なるようにシールド導体導出部１１６側に折り返される。この折り返されたシールド導体１１２の外周側に重なるように接地線引出金具１４１を装着し、第２面１４１Ｂとロールスプリング１４５との間でシールド導体１１２を固定する。次いで、２つ目のロールスプリング１８０で接地線引出金具１４１の一端側を締め付けて接地線引出金具１４１を強固に電力ケーブル１１０に固定する。シールド導体１１２は、接地線引出金具１４１の第２面１４１Ｂに半田付け等により接続しても良い。
【００７５】
接地線接続導体１４２は、前述したように、導体を編み込んだ可とう性の編導体（平編導体等）により形成されている。
接地線接続導体１４２は、その一端部が接地線引出金具１４１の他端部１４１２の第２面１４１Ｂに接続されている。
本第２の実施形態においては、接地線接続導体１４２の接地線引出金具１４１と接続された部分の厚さは、電力ケーブル１１０の軸線（軸心）から接地線引出金具１４１の第２面１４１Ｂまでの位置（距離）が、接地線接続導体１４２が接続されている領域でもシールド導体１１２が接続されている領域でも一様となるように調整される。
換言すれば、接地線引出金具１４１の第２面１４１Ｂが電力ケーブル１１０の軸線にほぼ平行となるように、接地線接続導体１４２の厚さが調整される。
この厚さ調整は、柔軟性のある接地線接続導体１４２の編導体の使用量や重ねる量を調整することにより行うことが可能である。
【００７６】
前記ロールスプリング１８０は、接地線引出金具１４１の外周に、少なくとも、シールド導体１１２が接続されている領域を含むように巻き回されている。
【００７７】
そして、接地線引出金具１４１の第２面１４１Ｂの中央領域と電力ケーブル１１０の絶縁シース１１１との間には、シール層としての粘着性のあるパテシート１７１が配置されている。ここで中央領域とは、シールド導体１１２が接続されている領域と接地線接続導体１４２が接続されている領域との間の領域である。
【００７８】
本第２の実施形態によれば、上述した第１の実施形態の効果に加えて、以下の効果を得ることができる。
接地線引出金具１４１の第２面１４１Ｂが電力ケーブル１１０の絶縁シース１１１と段剥ぎされた次段の外部半導電層１１３に跨るように配置することにより、電力ケーブル１１０の段剥ぎによる段差を利用したシールド導体１１２の接続処理を行うことが可能となる。
また、接地線引出金具１４１において、外側に位置する第１面１４１Ａには突出物としてロールスプリング１８０があるだけであり、全体にほぼなめらかな外表面となる。
したがって、本第２の実施形態の接地線引出部１４０Ａでは、要被覆部を一括して被覆する収縮性の被覆層１６１が、接地線引出金具１４１の外面により高度に面接触するので、被覆層１６１と接地線引出金具１４１との間を通して内部に水が浸入するのを防止し易い。
加えて、接地線引出部１４０Ａの断面の形状が円に近くなるので、被覆層１６１の端部に防水のためにテープを巻くときでも圧力がよくかかり、巻き崩れ等を防止することができる。
なお、この実施形態では、折り返したシールド導体１１２を接地線引出金具１４１の第２面１４１Ｂ側に接続したが、折り返したシールド導体１１２は第１面１４１Ａ側に接続することもできる。
また、接地線引出金具１４１は、その中央部でロールスプリングを用いて電力ケーブル１１０の絶縁シース１１１のある部分に固定されても良い。
【符号の説明】
【００７９】
１００・・・電力ケーブル接続部
１１０・・・接地線が引き出される特定の電力ケーブル
１１１・・・絶縁シース
１１２・・・シールド導体
１１３・・・外部半導電層
１１４・・・絶縁体
１１５・・・導体
１１６・・・シールド導体引出部
１２０・・・他の電力ケーブル
１２４・・・絶縁体
１２５・・・導体
１３０・・・ケーブル接続部本体
１４０・・・接地線引出部
１４１・・・接地線引出金具
１４１Ａ・・・第１面
１４１Ｂ・・・第２面
１４１１・・・一端部
１４１２・・・他端部
１４１３・・・シールド導体を接続するための一定領域
１４１４・・・接地線接続導体を接続するための一定領域
１４２・・・接地線接続導体
１４５・・・ロールスプリング
１５０・・・接地線
１６０・・・保護外装部
１６１・・・被覆層
１７０・・・シール層（絶縁シート）
１７１・・・パテシート
１８０・・・ロールスプリング
２００・・・導体接続部
２１０・・・ゴムユニット
２１１・・・補強絶縁層
２１２・・・内部半導電層
２１３・・・外部半導電層
２１４，２１５・・・ストレスコーン
３００・・・分岐管ユニット
３１０・・・筒部
３２０・・・第１の分岐管部
３３０・・・第２の分岐管部
【図１】
2013055771.tif 000003
【図２】
2013055771.tif 000004
【図３】
2013055771.tif 000005
【図４】
2013055771.tif 000006
【図５】
2013055771.tif 000007
【図６】
2013055771.tif 000008
【図７】
2013055771.tif 000009
【図８】
2013055771.tif 000010
【図９】
2013055771.tif 000011
【図１０】
2013055771.tif 000012
【図１１】
2013055771.tif 000013
【図１２】
2013055771.tif 000014
【図１３】
2013055771.tif 000015